(57)【特許請求の範囲】
【請求項１】
入力手段を介した指示に応じて、スキャナで読み取った原稿画像の画像データにスタンプ情報を埋め込むスタンプ埋込手段を備えた画像形成装置において、該スタンプ埋込手段は、
記憶手段と、
ログイン処理により管理者権限が付与された操作者による入力手段を介した入力に応じて、スタンプの内容又は項目と優先適用有無を示すフラグとを含む第１スタンプ情報を該記憶手段に登録する第１スタンプ情報登録手段と、
ログイン処理によりユーザ権限が付与された操作者による入力手段を介した入力に応じて、スタンプの内容又は項目を定めた第２スタンプ情報の入力を受け付ける第２スタンプ情報受付手段と、
該フラグが優先適用有を示していれば該第１スタンプ情報に含まれるスタンプの内容又は項目を該スタンプ情報として選択し、該フラグが優先適用無を示していれば該第２スタンプ情報受付手段に該第２スタンプ情報を受け付けさせて該第２スタンプ情報を該スタンプ情報として選択するスタンプ情報選択制御手段と、
を有することを特徴とする画像形成装置。
【請求項２】
該スタンプ情報選択制御手段は、該入力手段を介した送信機能選択指示に応答して、該フラグが優先適用有を示していれば該第１スタンプ情報に含まれるスタンプの内容又は項目を該スタンプ情報として選択することを特徴とする請求項１に記載の画像形成装置。
【請求項３】
該スタンプ情報は、該スキャナの画像読取設定情報の一部を内容未定項目として含み、該スタンプ埋込手段はさらに、
該入力手段を介した送信スタート指示に応答して、該画像データを生成させる画像データ生成手段と、
該画像データの生成に応答して、該画像読取設定情報の一部を該内容未定項目の内容とする項目内容決定手段と、
を有することを特等とする請求項１又は２に記載の画像形成装置。
【請求項４】
該スタンプ情報は、該スキャナで原稿画像を読み取った日時の項目を内容未定項目として含み、該スタンプ埋込手段はさらに、
該入力手段を介した送信スタート指示に応答して、該画像データを生成させる画像データ生成手段と、
該画像データの生成に応答して、現時刻を該内容未定項目の内容とする項目内容決定手段と、
を有することを特等とする請求項１又は２に記載の画像形成装置。
【請求項５】
該スタンプ情報は、該画像データの送信日時の項目を内容未定項目として含み、該スタンプ埋込手段はさらに、
該入力手段を介した送信スタート指示に応答して、該画像データを生成させる画像データ生成手段と、
該画像データの送信前に、現時刻を該内容未定項目の内容とする項目内容決定手段と、
を有することを特等とする請求項１又は２に記載の画像形成装置。
【発明の詳細な説明】
【技術分野】
【０００１】
本発明は、スキャナで読み取った原稿画像の画像データにスタンプ情報を埋め込んで送信する機能を備えた画像形成装置に関する。
【背景技術】
【０００２】
下記特許文献１には、付加情報合成モードの設定をスキャナに記憶しておき、ホストコンピュータのスキャナドライバが、スキャナで読み取った原稿画像の画像データをこの設定とともに取得して画像データに「マル秘マーク」などの付加情報を埋め込む構成が開示されている。
【先行技術文献】
【特許文献】
【０００３】
【特許文献１】特開２００８−４２８４０
【０００４】
しかしながら、付加情報の設定を変更できるのはスキャナの管理者権限を有する者のみであるので、付加情報は「マル秘マーク」のような、画像データの内容などによらない一律的なものとなる。また、画像データの内容などに応じて付加情報を変更するようにすると、管理者の負担が大きくなり過ぎる。
【０００５】
さらに、付加情報が「マル秘マーク」のような一律的なものであるので、情報漏洩が生じた場合に、情報漏洩時点や情報漏洩ルートなどを突き止める手がかりがなく、その結果、情報漏洩抑止効果が乏しい。
【発明の概要】
【発明が解決しようとする課題】
【０００６】
本発明の目的は、このような問題点に鑑み、管理者の負担増大を抑えるとともに画像データの内容に応じてより適切なスタンプを画像データに埋め込むことが可能な画像形成装置を提供することにある。
【課題を解決するための手段】
【０００７】
本発明の第１態様では、入力手段を介した指示に応じて、スキャナで読み取った原稿画像の画像データにスタンプ情報を埋め込むスタンプ埋込手段を備えた画像形成装置において、該スタンプ埋込手段は、
記憶手段と、
ログイン処理により管理者権限が付与された操作者による入力手段を介した入力に応じて、スタンプの内容又は項目と優先適用有無を示すフラグとを含む第１スタンプ情報を該記憶手段に登録する第１スタンプ情報登録手段と、
ログイン処理によりユーザ権限が付与された操作者による入力手段を介した入力に応じて、スタンプの内容又は項目を定めた第２スタンプ情報の入力を受け付ける第２スタンプ情報受付手段と、
該フラグが優先適用有を示していれば該第１スタンプ情報に含まれるスタンプの内容又は項目を該スタンプ情報として選択し、該フラグが優先適用無を示していれば該第２スタンプ情報受付手段に該第２スタンプ情報を受け付けさせて該第２スタンプ情報を該スタンプ情報として選択するスタンプ情報選択制御手段とを有する。
【０００８】
本発明の第２態様では、第１態様において、該スタンプ情報選択制御手段は、該入力手段を介した送信機能選択指示に応答して、該フラグが優先適用有を示していれば該第１スタンプ情報に含まれるスタンプの内容又は項目を該スタンプ情報として選択する。
【０００９】
本発明による画像形成装置の第３態様では、第１又は第２態様において、該スタンプ情報は、該スキャナの画像読取設定情報の一部を内容未定項目として含み、該スタンプ埋込手段はさらに、
該入力手段を介した送信スタート指示に応答して、該画像データを生成させる画像データ生成手段と、
該画像データの生成に応答して、該画像読取設定情報の一部を該内容未定項目の内容とする項目内容決定手段とを有する。
【００１０】
本発明による画像形成装置の第４態様では、第１又は第２態様において、該スタンプ情報は、該スキャナで原稿画像を読み取った日時の項目を内容未定項目として含み、該スタンプ埋込手段はさらに、
該入力手段を介した送信スタート指示に応答して、該画像データを生成させる画像データ生成手段と、
該画像データの生成に応答して、現時刻を該内容未定項目の内容とする項目内容決定手段とを有する。
【００１１】
本発明による画像形成装置の第５態様では、第１又は第２態様において、該スタンプ情報は、該画像データの送信日時の項目を内容未定項目として含み、該スタンプ埋込手段はさらに、
該入力手段を介した送信スタート指示に応答して、該画像データを生成させる画像データ生成手段と、
該画像データの送信前に、現時刻を該内容未定項目の内容とする項目内容決定手段とを有する。
【発明の効果】
【００１２】
上記第１態様の構成によれば、管理者権限で設定自在なフラグが優先適用有を示していれば第１スタンプ情報に含まれるスタンプの内容又は項目をスタンプ情報として選択し、該フラグが優先適用無を示していればユーザの指示に基づき第２スタンプ情報受付手段に第２スタンプ情報を受け付けさせて該第２スタンプ情報を該スタンプ情報として選択するので、管理者の負担増大を抑えるとともに画像データの機密度に応じて該スタンプ情報の項目を変更することによりセキュリティレベルを上げたり下げたりすることが容易となり、より適切にセキュリティを確保することが可能となるという効果を奏する。また、画像データの用途などに応じて各ユーザがスタンプ情報の項目を変えることが可能となるので、埋め込まれたスタンプ情報をより有効に利用することが可能となる。
【００１３】
上記第２態様の構成によれば、入力手段を介した送信機能選択指示に応答して、該フラグが優先適用有を示していれば該第１スタンプ情報に含まれるスタンプの内容又は項目を該スタンプ情報として選択するので、ユーザは該第２スタンプ情報を該画像データに埋込可能であるか否かを直ちに知得することができるという効果を奏する。
【００１４】
上記第３態様の構成によれば、画像読取設定情報の一部を該スタンプ情報に含ませることができるので、スキャンログを見なくても、利用段階である画像データの閲覧時や印刷時にその画質との関係で該設定情報の適否を容易に判断することができるという効果を奏する。
【００１５】
上記第４態様の構成によれば、該画像データの生成日時を該スタンプ情報に含ませることができるので、スキャンログを見なくても、利用段階である画像データの閲覧時や印刷時にこの日時を確認することができるとともに、情報漏洩が生じた場合に、情報漏洩発生時期を突き止めることがより容易となり、これにより犯罪抑止効果が高められるという効果を奏する。
【００１６】
上記第５態様の構成によれば、該画像データの送信日時を該スタンプ情報に含ませることができるので、送信ログを見なくても、利用段階である画像データの閲覧時や印刷時にこの日時を確認することができるとともに、情報漏洩が生じた場合に、情報漏洩発生時期を突き止めることがより容易となり、これにより犯罪抑止効果が高められるという効果を奏する。
【００１７】
本発明の他の目的、特徴的な構成及び効果は、以下の説明を特許請求の範囲及び図面の記載と関係づけて読むことにより明らかになる。
【図面の簡単な説明】
【００１８】
【図１】本発明の実施例１に係る、原稿画像をスキャンしその画像データにスタンプ情報を埋め込んで送信する処理を示す概略フローチャートである。
【図２】画像形成装置の全機能のうち本発明に関係したソフトウェア機能ブロックと、これに関係したハードウェア構成ブロックとを示す概略ブロック図である。
【図３】システムスタンプ登録処理を示すシーケンス図である。
【図４】スキャナで画像データを読取り、これにシステムスタンプを埋め込んだ後、外部の指定アドレスへ送信する処理を示すシーケンス図である。
【図５】スキャナで画像データを読取り、これにユーザスタンプを埋め込んだ後、外部の指定アドレスへ送信する処理を示すシーケンス図である。
【図６】（Ａ）はユーザスタンプを付加するか否かの問い合わせのＵＩ画面を示す図、（Ｂ）及び（Ｃ）はスタンプ情報入力用ＵＩ画面を示す図である。
【図７】（Ａ）及び（Ｂ）はスタンプ情報入力用ＵＩ画面を示す図である。
【図８】本発明が適用された画像形成システムの概略構成図である。
【図９】主に画像形成装置のハードウェア構成を示す概略ブロック図である。
【図１０】本発明の実施例２に係る、画像データファイルにスタンプ情報を埋め込んで送信する処理を示す概略フローチャートである。
【実施例１】
【００１９】
図８は、本発明が適用された画像形成システムの概略構成図である。
【００２０】
このシステムでは、画像形成装置１０とＰＣ（パーソナルコンピュータ）ＰＣ２０、ＰＣ２１とがネットワーク３０で結合されている。ＰＣ２０及びＰＣ２１はそれぞれ、画像形成装置１０に対する管理者３１及びユーザ３２で操作される。ネットワーク３０には一般に、ユーザ３２用の複数台のＰＣが結合されているが、図８では説明の簡単化の為に、１台のＰＣ２１で代表して表している。
【００２１】
図９は、主に画像形成装置１０のハードウェア構成を示す概略ブロック図である。
【００２２】
画像形成装置１０では、ＣＰＵ１１がインターフェイス１２を介してＰＲＯＭ１３、ＤＲＡＭ１４、ハードディスクドライブ１５、ネットワークインターフェイス１６、操作パネル１７、スキャナ１８、プリンタ１９、ＩＣカードリーダ１Ａ及びファックスモデム１Ｂに結合されている。図９では、簡単化の為に、複数種のインターフェイスを１つのブロック１２で表している。
【００２３】
ＰＲＯＭ１３は、例えばフラッシュメモリであり、ＢＩＯＳ（Basic Input/Output System）、ＯＳ（Operating System）、各種ドライバ、及び、画像形成装置として機能させるための各種アプリケーションが格納されている。ＤＲＡＭ１４は、主記憶装置として用いられる。ハードディスクドライブ１５には、印刷用データ、スキャナ１８で読み取った画像データ及びファクシミリ受信データが保存される。ネットワークインターフェイス１６は、ネットワーク３０に結合されている。操作パネル１７は、タッチパネル及びハードウェアボタンを備えた入力部と、表示部とを供えている。スキャナ１８は、画像ファイル生成のために用いられ、このファイルは印刷、ファクシミリ送信又はファイル送信のために用いられる。プリンタ１９は、プリントエンジン並びに用紙の給紙部、搬送部及び排紙部を備え、ＤＲＡＭ１４に生成されたビットマップデータが供給され、このデータに基づいて感光ドラムに静電潜像を形成し、この像をトナーで現像し、トナー像を用紙に転写し定着させ、排紙する。ＩＣカードリーダ１Ａは、電波を介してＩＣカード制御部４０と通信することにより、管理者又はユーザを認証するためのものである。
【００２４】
図２は、画像形成装置１０の全機能のうち本発明に関係したソフトウェア機能ブロック４０〜４３と、これに関係したハードウェア構成ブロック１６〜１８とを示す概略ブロック図である。このソフトウェア機能ブロック４０〜４３は主に、プログラムが格納されたＰＲＯＭ１３と、このプログラムで利用されるＤＲＡＭ１４及びハードディスクドライブ１５内の領域と、このプログラムを実行するＣＰＵ１１とで構成される。
【００２５】
図３は、システムスタンプ登録処理を示すシーケンス図である。この処理は、画像形成装置１０に管理者としてログインすることにより管理者権限が割り当てられた後に可能となり、ユーザ権限で行うことはできない。
【００２６】
制御部４０は、ユーザインターフェイス（ＵＩ）部４１を介して操作パネル１７にメニューを表示させる。管理者３１は、操作パネル１７を操作してこのメニューからシステムスタンプ登録項目を選択する。ＵＩ部４１はこれに応答して、システムスタンプ登録のための入力画面を操作パネル１７に表示させる。ここに「システムスタンプ」の「システム」は、「各ユーザに共通の」という意味である。
【００２７】
管理者３１は、操作パネル１７を操作してこの画面でシステムスタンプ情報を入力する。このシステムスタンプ情報は、システムスタンプの内容を示す情報と、システムスタンプをユーザスタンプよりも優先して適用するか否かを示す優先適用フラグＦとを含んでいる。システムスタンプは、スキャナ１８で読み取られた各画像データに対し共通に埋め込むためのものである。システムスタンプで設定できる内容は、優先適用フラグＦ以外は後述のユーザスタンプで設定できる内容と同一である。
【００２８】
スタンプは、「社内秘」などの文字列を表示してユーザに内容の機密性を認識させることにより情報漏洩を防止したり、スキャンした日時や送信した日時などを手がかりとしログに含まれる送信の日時や送信先などの情報との組み合わせで情報漏洩の時点やルートを突き止めたり、電子透かしによりデータの不正コピーや改ざんを検出したりするために、画像データに埋め込むためのものである。
【００２９】
ＵＩ部４１に入力されたデータは、システムスタンプ情報として制御部４０を介し記憶部４２に登録される。この記憶部４２は、ＰＲＯＭ１３内又はハードディスクドライブ１５内の一部の記憶領域と、ＤＲＡＭ１４内の一部の記憶領域とを含む。
【００３０】
図４は、スキャナ１８で画像データを読取り、これにシステムスタンプを埋め込んだ後、外部の指定アドレスへ送信する処理を示すシーケンス図である。この埋込は例えば、システムスタンプのファイルパス及び描画座標などを画像データファイル内の所定位置に書き込むことにより行われる。図５は、システムスタンプの替わりにユーザスタンプを埋め込む場合の処理を示すシーケンス図である。図１は、これらのシーケンスでの制御部４０による処理を示すフローチャートである。
【００３１】
次に、システムスタンプ埋め込みの場合の送信処理の詳細を説明する。
【００３２】
図１の処理は、画像形成装置１０に管理者又はユーザとして既にログインしていることを前提としている。ユーザ３２が操作パネル１７上の送信ボタンを押下すると、ＵＩ部４１を介し制御部４０へ送信機能選択イベントが通知されて、図１の処理が開始される。
【００３３】
（Ｓ０）制御部４０は、記憶部４２から優先適用フラグＦを読み出す。
【００３４】
（Ｓ１）Ｆ＝‘１’であればステップＳ２へ進み、Ｆ＝‘０’であればステップＳ１２へ進む。
【００３５】
（Ｓ２）システムスタンプの内容（オブジェクト）の参照をスタンプ情報変数ＳＩに代入する。
【００３６】
（Ｓ３）制御部４０は、操作パネル１７による操作に応じて、ＵＩ部４１にスキャナ１８の解像度や濃度などの読取設定情報及び読み取り後の画像処理の設定画面を表示させ又は宛先や送信形態等の送信情報設定画面を表示させる。制御部４０は、ＵＩ部４１で設定された情報を記憶部４２に一時記憶させる。送信情報設定では、複数の宛先を設定したり、複数の送信形態（送信プロトコル）、例えばＦＴＰ（File Transfer Protocol）送信、ＳＭＢ（Server Message Block）送信又は電子メール送信などを指定することができる。
【００３７】
（Ｓ４，Ｓ１１）ユーザ３２が操作パネル１７上のスタートボタンを押下すると、ステップＳ５へ進み、キャンセルボタンを押下すると図１の処理を終了する。
【００３８】
（Ｓ５）スキャナ１８の設定情報を記憶部４２から読み出し、これに基づいてスキャナドライバ４３を介しスキャナ１８を動作させて、原稿画像を読み取らせ、その画像データを記憶部４２に格納させる。ステップＳ３で設定された情報のうち、画像の回転や縮小等の画像処理設定情報に基づき、記憶部４２に格納された画像データに対し、画像処理部４４を介しその画像処理を行わせる。
【００３９】
（Ｓ６）スタンプ情報変数ＳＩがＮＵＬＬでなければ、すなわちスタンプ有の場合は、ステップＳ７へ進み、そうでなければステップＳ９へ進む。ステップＳ７〜Ｓ９は宛先毎のループ処理である。同一宛先に複数のプロトコルで送信する場合は、プロトコル毎に異なる宛先とみなす（送信日時を異ならせる）。
【００４０】
（Ｓ７）スタンプ情報変数ＳＩに関係づけられた画像読取解像度ＳＩ．resolutionやスキャン日時ＳＩ．scanDateなどは未設定情報であり、これら未設定情報のうち後述のようにスタンプ情報として選択されたもの（例えば、ＳＩ．on.resolution＝1に対応するＳＩ.resolution）を設定する。送信日時ＳＩ．SendingDateについては、宛先毎に、すなわちこのステップＳ７を通る毎に、現日時を送信日時として設定する。
【００４１】
（Ｓ８）制御部４０は、画像処理部４４を介して、スタンプ情報変数ＳＩで参照されるスタンプ情報を埋め込ませる。
【００４２】
（Ｓ９）制御部４０は、ステップＳ３で設定された送信情報に基づき、その１つの宛先について、ステップＳ８でスタンプ情報が埋め込まれた画像データを、通信制御部４５及びネットワークインターフェイス１６を介して送信する。制御部４０はまた、スタンプ情報、送信元のユーザＩＤ及びＩＰアドレス、送信先のユーザＩＤ及びＩＰアドレス、送信ファイル名、送信完了日時を含むログを生成して記憶部４２に格納する。
【００４３】
（Ｓ１０）未送信の宛先があればステップＳ６へ戻る。全ての送信処理が終了し又はキャンセルボタンが押下された場合には、図１の処理を終了する。
【００４４】
次に、Ｆ＝‘０’の場合、すなわちユーザスタンプを付加可能な場合に実行される処理の一部であるステップＳ１２〜Ｓ１４について説明する。
【００４５】
（Ｓ１２）制御部４０は、ＵＩ部４１を介して操作パネル１７上に、図６（Ａ）に示すようにユーザスタンプを付加するか否かの問い合わせを表示させる。
【００４６】
この表示が、ユーザ３２による送信機能選択に応答して行われるので、ユーザ３２は、ユーザスタンプを付加可能であるか否かを直ちに知得することができるという効果を奏する。ユーザ３２は、必要に応じ、管理者３１に対し優先適用フラグＦの値を‘０’に設定してもらう。
【００４７】
（Ｓ１３）ユーザ３２がユーザスタンプ付加を選択した場合にはステップＳ１４へ進み、そうでなければステップＳ４へ進む。
【００４８】
（Ｓ１４）制御部４０は、ＵＩ部４１を介して、図６（Ｂ）に示すようなスタンプ項目の選択画面を表示させる。管理者３１は、スタンプに含ませたい項目のチェックボックスをタッチしてチェックを入れることにより、項目を選択する。この選択は、例えば上述のＳＩ．on.resolution＝1に対応している。
【００４９】
文字列の項目を選択した場合には、プルダウンボタンをタッチして既定の文字列のリストを表示させ、その中から管理者３１が選択したものをテキストボックスに表示させ、又は管理者３１がテキストボックスに任意の文字列を入力する。また、文字サイズをテキストボックスに入力する。画像の項目を選択した場合には、参照ボタンをタッチして所定フォルダ内の画像ファイル名のリストを表示させ、その中から管理者３１が選択したファイル名をテキストボックスに表示させ、又は管理者３１が任意のファイルパスを入力する。
【００５０】
管理者３１が「次へ」ボタンをタッチすると、図６（Ｃ）に示すようなスタンプのタイプ選択を表示させる。スタンプのタイプには、可視困難性の電子透かしと、可視性のスタンプとがあり、可視性のスタンプには、薄い濃度で上書き（Z-Orderの値を相対的に大きくすることで上書き）する透かしと、薄い濃度で下書きする透かしと、普通濃度の上書きスタンプとがある。
【００５１】
管理者３１がこれらのいずれかを選択し、「次へ」ボタンをタッチすると、図７（Ａ）に示すようなスタンプ位置選択画面が表示される。この例では、頁上の９分割された領域の１つをタッチして選択するようになっている。
【００５２】
管理者３１が１つの領域をタッチして「次へ」ボタンをタッチすると、図７（Ｂ）に示すようなスタンプ頁選択画面が表示される。スタンプ頁には、先頭頁のみスタンプと、全頁にスタンプとがあり、管理者３１がそのいずれかをタッチして選択し、ＯＫボタンをタッチすると、これが制御部４０に通知される。制御部４０はこの通知に応答して、以上のスタンプ設定情報を、記憶部４２に格納させることにより確定させる。次にステップＳ３へ進む。
【００５３】
このようなユーザスタンプ情報の設定は、図３でのシステムスタンプ情報の設定と、優先適用フラグＦを除き同一であり、互いに排他性を有しない。
【００５４】
本実施例１によれば、Ｆ=‘０’のとき、ユーザスタンプ情報を画像データに埋め込ませることができるので、画像データの機密度に応じてスタンプ情報の項目を変更することによりセキュリティレベルを上げたり下げたりすることが容易となり、より適切にセキュリティを確保することが可能となるという効果を奏する。
【００５５】
また、画像スキャンの解像度等の画像読取設定情報の一部をスタンプに含ませることができるので、スキャンログを見なくても、利用段階である画像データの閲覧時や印刷時にその画質との関係で該設定情報の適否を判断することができるという効果を奏する。
【００５６】
さらに、画像スキャンの日時や送信日時をスタンプに含ませることができるので、スキャンログや送信ログを見なくても、利用段階である画像データの閲覧時や印刷時にこれらを容易に確認することができるとともに、情報漏洩が生じた場合に、情報漏洩発生時期を突き止めることがより容易となり、これにより犯罪抑止効果が高められるという効果を奏する。
【００５７】
また、宛先毎にステップＳ７〜Ｓ９の処理を行い、同一宛先に異なるプロトコルで送信する場合もプロトコル毎にステップＳ７〜Ｓ９の処理を行うので、情報漏洩が生じた場合に、ファイルの内容が同一であっても、情報漏洩がどのルートで生じたかを突き止めることがより容易となるという効果を奏する。
【実施例２】
【００５８】
実施例１では、画像をスキャンした後にその画像データにスタンプ情報を埋め込んで送信する場合を説明したが、画像をスキャンした後にそのファイルを所定フォルダに保存しておき、後でこのファイルにスタンプ情報を埋め込んで送信することもできる。この場合、ファイル保存時に、後にスタンプ情報として使用される可能性のあるもの、すなわち解像度等のスキャン設定情報及びスキャン日時などをログとして記憶部４２に保存しておき、スタンプ情報埋込時にこれを利用する。
【００５９】
図１０は、上記の場合の処理を示すフローチャートである。図１０の処理は図１のそれと、ステップＳ３Ａでスキャン設定を行う替わりに送信対象のファイルを選択し、ステップＳ５を省略し、ステップＳ８で前記ログを参照する点で相違する。他の点は実施例１と同一である。
【００６０】
以上において、本発明の好適な実施例を説明したが、本発明には他にも種々の変形例が含まれ、上記複数の実施例で述べた構成要素の他の組み合わせ、各構成要素の機能を実現する他の構成を用いたもの、当業者であればこれらの構成又は機能から想到するであろう他の構成も、本発明に含まれる。
【００６１】
例えば、管理者３１又はユーザ３２によるスタンプ情報の設定や送信設定は、ＰＣ２０又はＰＣ２１に備えたリモートコントロールソフトウェアを介して行う構成であってもよいことは勿論である。
【符号の説明】
【００６２】
１０  画像形成装置
１１  ＣＰＵ
１２  インターフェイス
１３  ＰＲＯＭ
１４  ＤＲＡＭ
１５  ハードディスクドライブ
１６  ネットワークインターフェイス
１７  操作パネル
１８  スキャナ
１９  プリンタ
１Ａ  ＩＣカードリーダ
１Ｂ  ファックスモデム
２０、２１  ＰＣ
３０  ネットワーク
３１  管理者
３２  ユーザ
４０  制御部
４１  ＵＩ部
４２  記憶部
４３  スキャナドライバ
４４  画像処理部
４５  通信制御部
Ｆ  優先適用フラグ
ＳＩ  スタンプ情報変数
【図１】
0005456704.tif 000002
【図２】
0005456704.tif 000003
【図３】
0005456704.tif 000004
【図４】
0005456704.tif 000005
【図５】
0005456704.tif 000006
【図６】
0005456704.tif 000007
【図７】
0005456704.tif 000008
【図８】
0005456704.tif 000009
【図９】
0005456704.tif 000010
【図１０】
0005456704.tif 000011